(57)【要約】【課題】２次側熱交換端末の温度変動を低減できる温調システムを提供する。【解決手段】温調システムは、第１，第２の床冷暖房ユニット２００，３００に接続された第１〜第４の床冷暖房パネル４０１〜４０４の設定温度のうち、最高設定温度を特定する最高設定温度特定部１１７ａと、最高設定温度が設定された第１〜第４の床冷暖房パネル４０１〜４０４への温水の流れを制御するための第１，第２の熱動弁２０６，３０６，２０７，３０７が常時開くように、かつ、最高設定温度が設定されていない第１，第２の熱動弁２０６，３０６，２０７，３０７への温水の流れを制御するための第１，第２の熱動弁２０６，３０６，２０７，３０７が間欠的に開くように、第１，第２の熱動弁２０６，３０６，２０７，３０７の開動作を制御する開動作制御部１１７ｃとを備えている。これにより、サーモオフの制御が繰り返されるのを防ぐことができる。【選択図】図１
2014163536.tif 000002
【特許請求の範囲】
【請求項１】
熱媒との熱交換により、温水を生成する水熱交換器(２０１，３０１)と、この水熱交換器(２０１，３０１)で生成された温水の流れを制御するための熱動弁(２０６，２０７，３０６，３０７)とを有する複数のユニット(２００，３００)と、
上記各ユニット(２００，３００)に接続されると共に、上記熱動弁(２０６，２０７，３０６，３０７)を介して温水が供給される単数または複数の二次側熱交換端末(４０１，４０２，４０３，４０４)と、
上記複数のユニット(２００，３００)に接続された上記複数の二次側熱交換端末(４０１，４０２，４０３，４０４)の設定温度のうち、最高設定温度を特定する最高設定温度特定部(１１７ａ)と、
上記最高設定温度が設定された上記二次側熱交換端末(４０１，４０２，４０３，４０４)への温水の流れを制御するための上記熱動弁(２０６，２０７，３０６，３０７)が常時開くように、かつ、上記最高設定温度が設定されていない上記二次側熱交換端末(４０１，４０２，４０３，４０４)への温水の流れを制御するための上記熱動弁(２０６，２０７，３０６，３０７)が間欠的に開くように、上記熱動弁(２０６，２０７，３０６，３０７)の開動作を制御する開動作制御部(１１７ｃ)と
を備えたことを特徴とする温調システム。
【請求項２】
熱媒との熱交換により、冷水を生成する水熱交換器(２０１，３０１)と、この水熱交換器(２０１，３０１)で生成された冷水の流れを制御するための熱動弁(２０６，２０７，３０６，３０７)とを有する複数のユニット(２００，３００)と、
上記各ユニット(２００，３００)に接続されると共に、上記熱動弁(２０６，２０７，３０６，３０７)を介して冷水が供給される単数または複数の二次側熱交換端末(４０１，４０２，４０３，４０４)と、
上記複数のユニット(２００，３００)に接続された上記複数の二次側熱交換端末(４０１，４０２，４０３，４０４)の設定温度のうち、最低設定温度を特定する最低設定温度特定部(１１７ｂ)と、
上記最低設定温度が設定された上記二次側熱交換端末(４０１，４０２，４０３，４０４)への冷水の流れを制御するための上記熱動弁(２０６，２０７，３０６，３０７)が常時開くように、かつ、上記最低設定温度が設定されていない上記二次側熱交換端末(４０１，４０２，４０３，４０４)への冷水の流れを制御するための上記熱動弁(２０６，２０７，３０６，３０７)が間欠的に開くように、上記熱動弁(２０６，２０７，３０６，３０７)の開動作を制御する開動作制御部(１１７ｃ)と
を備えたことを特徴とする温調システム。
【発明の詳細な説明】
【技術分野】
【０００１】
本発明は温調システムに関する。
【背景技術】
【０００２】
従来、温調システムとしては、特開２００９−１３９０８２号公報(特許文献１)に記載されているように、熱媒が流れる熱媒回路を備えたものがある。この熱媒回路には、室外熱交換器、圧縮機、水熱交換器および膨張機構が１個ずつ設けられている。
【０００３】
上記水熱交換器では、熱媒と水の熱交換により、温水が生成される。この温水が複数の２次側熱交換端末に供給されて、複数の２次側熱交換端末の周囲が暖房される。
【０００４】
また、上記水熱交換器と各２次側熱交換端末の間には熱動弁が設けられており、設定温度が最も高い２次側熱交換端末に接続された熱動弁は全開される一方、他の２次側熱交換端末に接続された熱動弁は間欠的に開閉されるようになっている。
【先行技術文献】
【特許文献】
【０００５】
【特許文献１】特開２００９−１３９０８２号公報
【発明の概要】
【発明が解決しようとする課題】
【０００６】
ところで、上記温調システムにおいて、水熱交換器を例えば２つにし、一方の水熱交換器に第１，第２の熱動弁を介して例えば第１，第２の２次側熱交換端末を接続し、他方の水熱交換器に第３，第４の熱動弁を介して例えば第３，第４の２次側熱交換端末を接続する変更を行った場合、第１の２次側熱交換端末の設定温度を５０℃、第２の２次側熱交換端末の設定温度を４５℃、第３の２次側熱交換端末の設定温度を４０℃、第４の２次側熱交換端末の設定温度を３０℃にすると、第１，第３の２次側熱交換端末に接続された第１，第３の熱動弁は全開される一方、第２，第４の２次側熱交換端末に接続された第２，第４の熱動弁は間欠的に開かれることになる。
【０００７】
その結果、上記各水熱交換器で生成される温水の温度は同じであるため、４０℃を超える温水が第３の２次側熱交換端末に流れるため、サーモオフの制御が繰り返されて、第３の２次側熱交換端末の温度変動が大きくなってしまうという問題が生じてしまう。
【０００８】
また、上述の場合、上記第１の２次側熱交換端末の設定温度を１０℃、第２の２次側熱交換端末の設定温度を１３℃、第３の２次側熱交換端末の設定温度を１７℃、第４の２次側熱交換端末の設定温度を２０℃にしても、サーモオフの制御が繰り返されて、第３の２次側熱交換端末の温度変動が大きくなってしまうという問題が生じてしまう。
【０００９】
すなわち、２次側熱交換端末の温度変動が大きくなるという問題は、暖房運転および冷房運転のどちらでも起こりえる。
【００１０】
そこで、本発明の課題は、２次側熱交換端末の温度変動を低減できる温調システムを提供することにある。
【課題を解決するための手段】
【００１１】
上記課題を解決するため、本発明の温調システムは、
熱媒との熱交換により、温水を生成する水熱交換器と、この水熱交換器で生成された温水の流れを制御するための熱動弁とを有する複数のユニットと、
上記各ユニットに接続されると共に、上記熱動弁を介して温水が供給される単数または複数の二次側熱交換端末と、
上記複数のユニットに接続された上記複数の二次側熱交換端末の設定温度のうち、最高設定温度を特定する最高設定温度特定部と、
上記最高設定温度が設定された上記二次側熱交換端末への温水の流れを制御するための上記熱動弁が常時開くように、かつ、上記最高設定温度が設定されていない上記二次側熱交換端末への温水の流れを制御するための上記熱動弁が間欠的に開くように、上記熱動弁の開動作を制御する開動作制御部と
を備えたことを特徴としている。
【００１２】
上記構成の温調システムによれば、暖房運転時、上記最高設定温度が設定されていない二次側熱交換端末へ例えば最高設定温度の温水が流れたとしても、この二次側熱交換端末への温水の流れを制御するための熱動弁は、間欠的に開くように、開動作制御部によって開動作が制御されるので、サーモオフの制御が繰り返されるのを防ぐことができる。したがって、上記２次側熱交換端末の温度変動を低減できる。
【００１３】
本発明の温調システムは、
熱媒との熱交換により、冷水を生成する水熱交換器と、この水熱交換器で生成された冷水の流れを制御するための熱動弁とを有する複数のユニットと、
上記各ユニットに接続されると共に、上記熱動弁を介して冷水が供給される単数または複数の二次側熱交換端末と、
上記複数のユニットに接続された上記複数の二次側熱交換端末の設定温度のうち、最低設定温度を特定する最低設定温度特定部と、
上記最低設定温度が設定された上記二次側熱交換端末への冷水の流れを制御するための上記熱動弁が常時開くように、かつ、上記最低設定温度が設定されていない上記二次側熱交換端末への冷水の流れを制御するための上記熱動弁が間欠的に開くように、上記熱動弁の開動作を制御する開動作制御部と
を備えたことを特徴としている。
【００１４】
上記構成の温調システムによれば、冷房運転時、上記最低設定温度が設定されていない二次側熱交換端末へ例えば最低設定温度の冷水が流れたとしても、この二次側熱交換端末への冷水の流れを制御するための熱動弁は、間欠的に開くように、開動作制御部によって開動作が制御されるので、サーモオフの制御が繰り返されるのを防ぐことができる。したがって、上記２次側熱交換端末の温度変動を低減できる。
【発明の効果】
【００１５】
本発明の温調システムは、複数のユニットに接続された複数の二次側熱交換端末の設定温度のうち、最高設定温度を特定する最高設定温度特定部と、最高設定温度が設定された二次側熱交換端末への温水の流れを制御するための熱動弁が常時開くように、かつ、最高設定温度が設定されていない二次側熱交換端末への温水の流れを制御するための熱動弁が間欠的に開くように、熱動弁の開動作を制御する開動作制御部とを備えることによって、暖房運転時、サーモオフの制御が繰り返されるのを防ぐことができるので、２次側熱交換端末の温度変動を低減できる。
【００１６】
本発明の温調システムは、複数のユニットに接続された複数の二次側熱交換端末の設定温度のうち、最低設定温度を特定する最低設定温度特定部と、最低設定温度が設定された二次側熱交換端末への冷水の流れを制御するための熱動弁が常時開くように、かつ、最低設定温度が設定されていない二次側熱交換端末への冷水の流れを制御するための熱動弁が間欠的に開くように、熱動弁の開動作を制御する開動作制御部とを備えることによって、冷房運転時、サーモオフの制御が繰り返されるのを防ぐことができるので、２次側熱交換端末の温度変動を低減できる。
【図面の簡単な説明】
【００１７】
【図１】本発明の一実施形態の温調システムの概略構成図である。
【発明を実施するための形態】
【００１８】
以下、この発明を図示の実施形態により詳細に説明する。
【００１９】
図１は、本発明の一実施形態の温調システムの概略構成を示す図である。
【００２０】
〔温調システムの全体構成〕
上記温調システムは、室外ユニット１００と、この室外ユニット１００に接続された第１，第２の床冷暖房ユニット２００，３００と、この第１の床冷暖房ユニット２００に接続された第１，第２の床冷暖房パネル４０１，４０２と、第２の床冷暖房ユニット３００に接続された第３，第４の床冷暖房パネル４０３，４０４と、室外ユニット１００に接続された室内熱交換器５０１とを備えている。なお、第１，第２の床冷暖房ユニット２００，３００はユニットの一例であり、第１〜第４の床冷暖房パネル４０１〜４０４は２次側熱交換端末の一例である。
【００２１】
〔室外機１００の構成〕
上記室外機１００は、圧縮機１０１、四路弁１０２、室外熱交換器１０３、第１〜第３の電動膨張弁１０４〜１０６およびアキュムレータ１０７を有している。この第１〜第３の電動膨張弁１０４〜１０６の一端側には、室外熱交換器１０３の一端側が接続されている。また、暖房運転時、圧縮機１０１は、吸入側が室外熱交換器１０３の他端側に接続されると共に、吐出側が室内熱交換器５０１およびプレート式水熱交換器２０１，３０１の一端側に接続されている。一方、冷房運転時、圧縮機１０１は、吸入側が室内熱交換器５０１およびプレート式水熱交換器２０１，３０１の一端側に接続されると共に、吐出側が室外熱交換器１０３の他端側に接続される。より詳しくは、四路弁１０２は、第１ポート１０２ａが圧縮機１０１の吐出側に接続され、かつ、第２ポート１０２ｂが室外熱交換器１０３の他端側に接続され、かつ、第３ポート１０２ｃがアキュムレータ１０７を介して圧縮機１０１の吸入側に接続され、かつ、第４ポート１０２ｄが、室内熱交換器５０１およびプレート式水熱交換器２０１，３０１の一端側に接続されている。暖房運転時、第１ポート１０２ａと第４ポート１０２ｄとの間、および、第２ポート１０２ｂと第３ポート１０２ｃとの間が連通する。一方、冷房運転時、第１ポート１０２ａと第２ポート１０２ｂとの間、および、第３ポート１０２ｃと第４ポート１０２ｄとの間が連通する。なお、第１，第２の電動膨張弁１０４，１０５は膨張機構の一例である。また、プレート式水熱交換器２０１，３０１は水熱交換器の一例である。
【００２２】
また、上記室外機１００は、例えばサーミスタからなる第１〜第９の温度センサ１０８〜１１６と、この第１〜第９の温度センサ１０８〜１１６が検出した温度を示す信号を受ける室外機用制御装置１１７とを有している。
【００２３】
上記第１の温度センサ１０８は、第１の電動膨張弁１０４と、プレート式水熱交換器２０１との間の冷媒の温度を検出する。この第１の電動膨張弁１０４の他端側には、プレート式水熱交換器２０１の他端側が接続されている。
【００２４】
上記第２の温度センサ１０９は、第２の電動膨張弁１０５と、プレート式水熱交換器３０１との間の冷媒の温度を検出する。この第２の電動膨張弁１０５の他端側には、プレート式水熱交換器３０１の他端側が接続されている。
【００２５】
上記第３の温度センサ１１０は、第３の電動膨張弁１０６と室内熱交換器５０１との間の冷媒の温度を検出する。この第３の電動膨張弁１０６の他端側には、室内熱交換器５０１の他端側に接続されている。
【００２６】
上記第４の温度センサ１１１は、四方弁１０２の第４ポート１０２ｄと室内熱交換器５０１との間の冷媒の温度を検出する。
【００２７】
上記第５の温度センサ１１２は、四方弁１０２の第４ポート１０２ｄと、プレート式水熱交換器３０１との間の冷媒の温度を検出する。
【００２８】
上記第６の温度センサ１１３は、四方弁１０２の第４ポート１０２ｄとプレート式水熱交換器２０１との間の冷媒の温度を検出する。
【００２９】
上記第７の温度センサ１１４は、圧縮機１０１と四方弁１０２の第１ポート１０２ａとの間の冷媒の温度を検出する。
【００３０】
上記第８の温度センサ１１５は、室外熱交換器１０３内の冷媒の温度を検出するために、室外熱交換器１０３に取り付けられている。
【００３１】
上記第９の温度センサ１１６は、外気温を検出するために、室外熱交換器１０３の近傍に配置されている。
【００３２】
上記室外機用制御装置１１７は、インバータ(図示せず)を介して、圧縮機１０１を制御する。この室外機用制御装置１１７は、プレート式水熱交換器２０１，３０１および室内熱交換器５０１の熱交換効率が最適となるように、第１〜第３の電動膨張弁１０４〜１０６も制御する。また、室外機用制御装置１１７は、図示しない信号線を介して床冷暖房ユニット用制御装置２１６，３１６に接続されている。
【００３３】
また、上記室外機用制御装置１１７は、最高設定温度特定部１１７ａと、最低設定温度特定部１１７ｂと、開動作制御部１１７ｃとを有している。この最高設定温度特定部１１７ａ、最低設定温度特定部１１７ｂおよび開動作制御部１１７ｃは、それぞれ、ソフトウェアで構成されている。
【００３４】
上記最高設定温度特定部１１７ａは、暖房運転時、床冷暖房ユニット用制御装置２１６，３１６からの信号に基づいて、第１〜第４の床冷暖房パネル４０１〜４０４の設定温度中の最高設定温度を特定する。
【００３５】
上記最低設定温度特定部１１７ｂは、冷房運転時、床冷暖房ユニット用制御装置２１６，３１６からの信号に基づいて、第１〜第４の床冷暖房パネル４０１〜４０４の設定温度中の最低設定温度を特定する。
【００３６】
上記開動作制御部１１７ｃは、暖房運転時、最高設定温度が設定された第１〜第４の床冷暖房パネル４０１〜４０４に接続された第１，第２の熱動弁２０６，３０６，２０７，３０７が常時開くように、かつ、最高設定温度が設定されていない第１〜第４の床冷暖房パネル４０１〜４０４に接続された第１，第２の熱動弁２０６，３０６，２０７，３０７が間欠的に開くように、第１，第２の熱動弁２０６，３０６，２０７，３０７の開動作を制御する。より詳しくは、開動作制御部１１７ｃは、第１，第２の熱動弁２０６，３０６，２０７，３０７のうち、最高設定温度が設定された第１〜第４の床冷暖房パネル４０１〜４０４に対応する熱動弁を常時開くように指示する指示信号を床冷暖房ユニット用制御装置２１６，３１６の少なくとも一方に送出する。また、開動作制御部１１７ｃは、第１，第２の熱動弁２０６，３０６，２０７，３０７のうち、最高設定温度が設定されていない熱動弁を間欠的に開くように指示する指示信号を床冷暖房ユニット用制御装置２１６，３１６の少なくとも一方に送出する。
【００３７】
上記開動作制御部１１７ｃは、冷房運転時、最低設定温度が設定された第１〜第４の床冷暖房パネル４０１〜４０４に接続された第１，第２の熱動弁２０６，３０６，２０７，３０７が常時開くように、かつ、最低設定温度が設定されていない第１〜第４の床冷暖房パネル４０１〜４０４に接続された第１，第２の熱動弁２０６，３０６，２０７，３０７が間欠的に開くように、第１，第２の熱動弁２０６，３０６，２０７，３０７の開動作を制御する。より詳しくは、開動作制御部１１７ｃは、第１，第２の熱動弁２０６，３０６，２０７，３０７のうち、最低設定温度が設定された第１〜第４の床冷暖房パネル４０１〜４０４に対応する熱動弁を常時開くように指示する指示信号を床冷暖房ユニット用制御装置２１６，３１６に送出する。また、開動作制御部１１７ｃは、第１，第２の熱動弁２０６，３０６，２０７，３０７のうち、最低設定温度が設定されていない熱動弁を間欠的に開くように指示する指示信号を床冷暖房ユニット用制御装置２１６，３１６に送出する。
【００３８】
また、上記室外熱交換器１０３、圧縮機１０１、プレート式水熱交換器２０１，３０１および第１，第２の電動膨張弁１０４，１０５は順に連結されて、それぞれが冷媒回路６０１の一部を構成する。なお、冷媒回路６０１は熱媒回路の一例である。また、冷媒回路６０１を流れる冷媒は熱媒の一例である。
【００３９】
また、図示しないが、上記室外熱交換器１０３の近傍には室外ファンが配置されている。
【００４０】
〔第１の床冷暖房ユニット２００の構成〕
上記第１の床冷暖房ユニット２００は、プレート式水熱交換器２０１、膨張タンク２０２、循環ポンプ２０３、往きヘッダ２０４および戻りヘッダ２０５を有している。
【００４１】
上記プレート式水熱交換器２０１は、冷媒回路６０１の凝縮器または蒸発器として機能する。このプレート式水熱交換器２０１には、室外機１００からの冷媒が流れる流路と、第１，第２の床冷暖房パネル４０１，４０２からの戻り水が流れる流路とが設けられている。
【００４２】
上記膨張タンク２０２は、正負圧弁が付いており、プレート式水熱交換器２０１からの温水または冷水が溜まる。また、膨張タンク２０２の上部には給水口２０２ａを設けており、給水口２０２ａから膨張タンク２０２内に水が必要時に補充される。
【００４３】
上記循環ポンプ２０３は、吸入側が膨張タンク２０２に接続されている一方、吐出側が往きヘッダ２０４に接続されている。これにより、循環ポンプ２０３は、プレート式水熱交換器２０１を通過する冷媒と熱交換した温水または冷水を第１，第２の床冷暖房パネル４０１，４０２に送ることができるようになっている。
【００４４】
上記往きヘッダ２０４には、第１〜第４の熱動弁２０６〜２０９の一端と、水抜き栓２１０の一端とが接続されている。この第１，第２の熱動弁２０６，２０７の他端には、第１，第２の床冷暖房パネル４０１，４０２の水入口が接続されている。
【００４５】
上記戻りヘッダ２０５には、第１，第２の床冷暖房パネル４０１，４０２の水出口が接続されている。これにより、第１，第２の床冷暖房パネル４０１，４０２の温水または冷水が第１の床冷暖房ユニット２００に戻って、水が水回路２１１を循環できるようになっている。
【００４６】
また、上記第１の床冷暖房ユニット２００は、例えばサーミスタからなる第１，第２の水温センサ２１２，２１３と、例えばサーミスタからなる冷媒温センサ２１４と、圧力センサ２１５と、床冷暖房ユニット用制御装置２１６とを有している。
【００４７】
上記第１の水温センサ２１２は、プレート式水熱交換器２０１から第１，第２の床冷暖房パネル４０１，４０２へ向って流れる温水または冷水の温度を検出する。
【００４８】
上記第２の水温センサ２１３は、第１，第２の床冷暖房パネル４０１，４０２からプレート式水熱交換器２０１へ向かって流れる温水または冷水の温度を検出する。
【００４９】
上記冷媒温センサ２１４は、第１の電動膨張弁１０４とプレート式水熱交換器２０１の間の冷媒の温度を検出する。
【００５０】
上記圧力センサ２１５は、プレート式水熱交換器２０１の近傍に配置されている。また、圧力センサ２１５は、四方弁１０２の第４ポート１０２ｄとプレート式水熱交換器２０１との間の冷媒の圧力を検出し、この圧力を示す信号を床冷暖房ユニット用制御装置２１６に送出する。
【００５１】
上記床冷暖房ユニット用制御装置２１６は、第１，第２の床冷暖房パネル４０１，４０２の設定温度を示す信号などを室外機用制御装置１００に送出する。また、床冷暖房ユニット用制御装置２１６は、開動作制御部１１７ｃからの指示信号や、第１，第２の水温センサ２１２，２１３が検出する温水または冷水の温度などに基づいて、循環ポンプ２０３および第１〜第４の熱動弁２０６〜２０９などを制御する。
【００５２】
〔第２の床冷暖房ユニット３００の構成〕
上記第２の床冷暖房ユニット３００は、プレート式水熱交換器３０１、膨張タンク３０２、循環ポンプ３０３、往きヘッダ３０４および戻りヘッダ３０５を有している。なお、循環ポンプ３０３はポンプの一例である。
【００５３】
上記プレート式水熱交換器３０１は、冷媒回路６０１の凝縮器または蒸発器として機能する。このプレート式水熱交換器３０１には、室外機１００からの冷媒が流れる流路と、第３，第４の床冷暖房パネル４０３，４０４からの戻り水が流れる流路とが設けられている。
【００５４】
上記膨張タンク３０２は、正負圧弁が付いており、プレート式水熱交換器３０１からの温水または冷水が溜まる。また、膨張タンク３０２の上部には給水口３０２ａを設けており、給水口２０２ａから膨張タンク３０２内に水が必要時に補充される。
【００５５】
上記循環ポンプ３０３は、吸入側が膨張タンク３０２に接続されている一方、吐出側が往きヘッダ３０４に接続されている。これにより、循環ポンプ３０３は、プレート式水熱交換器３０１を通過する冷媒と熱交換した温水または冷水を第３，第４の床冷暖房パネル４０３，４０４に送ることができるようになっている。
【００５６】
上記往きヘッダ３０４には、第１〜第４の熱動弁３０６〜３０９の一端と、第２の水抜き栓３１０の一端とが接続されている。この第１，第２の熱動弁３０６，３０７の他端には、第３，第４の床冷暖房パネル４０３，４０４の水入口が接続されている。
【００５７】
上記戻りヘッダ３０５には、第３，第４の床冷暖房パネル４０３，４０４の水出口が接続されている。これにより、第３，第４の床冷暖房パネル４０３，４０４の温水または冷水が第２の床冷暖房ユニット３００に戻って、水が水回路３１１を循環できるようになっている。
【００５８】
また、上記第２の床冷暖房ユニット３００は、例えばサーミスタからなる第１，第２の水温センサ３１２，３１３と、例えばサーミスタからなる第１の冷媒温センサ３１４と、第１の圧力センサ３１５と、床冷暖房ユニット用制御装置３１６とを有している。
【００５９】
上記第１の水温センサ３１２は、プレート式水熱交換器３０１から第３，第４の床冷暖房パネル４０３，４０４へ向って流れる温水または冷水の温度を検出する。
【００６０】
上記第２の水温センサ３１３は、第３，第４の床冷暖房パネル４０３，４０４からプレート式水熱交換器３０１へ向かって流れる温水または冷水の温度を検出する。
【００６１】
上記冷媒温センサ３１４は、第２の電動膨張弁１０５とプレート式水熱交換器３０１の間の冷媒の温度を検出する。
【００６２】
上記圧力センサ３１５は、プレート式水熱交換器３０１の近傍に配置されている。また、圧力センサ３１５は、四方弁１０２の第４ポート１０２ｄとプレート式水熱交換器３０１との間の冷媒の圧力を検出し、この圧力を示す信号を床冷暖房ユニット用制御装置３１６に送出する。
【００６３】
上記床冷暖房ユニット用制御装置３１６は、第３，第４の床冷暖房パネル４０３，４０４の設定温度を示す信号なども室外機用制御装置１００に送出する。また、床冷暖房ユニット用制御装置３１６は、開動作制御部１１７ｃからの指示信号や、第１，第２の水温センサ３１２，３１３が検出した温水または冷水の温度などに基づいて、循環ポンプ３０３および第１〜第４の熱動弁３０６〜３０９などを制御する。
【００６４】
〔第１〜第４の床冷暖房パネル４０１〜４０４の構成〕
上記第１〜第４の床冷暖房パネル４０１〜４０４は、蛇行形状に形成された第１〜第４の水循環パイプ４１１〜４１４を有している。この第１，第２の水循環パイプ４１１，４１２内には、プレート式水熱交換器２０１からの温水または冷水が流れる。一方、第３，第４の水循環パイプ４１３，４１４内では、プレート式水熱交換器３０１からの温水または冷水が流れる。
【００６５】
〔室内熱交換器５０１の構成〕
上記室内熱交換器５０１には、室内熱交換器５０１内の冷媒の温度を検出するために、例えばサーミスタからなる第１の温度センサ５０２が取り付けられている。また、室内熱交換器５０１の近傍には、室温を検出するために、例えばサーミスタからなる第２の温度センサ５０３が配置されている。
【００６６】
また、図示しないが、室内熱交換器５０１の近傍には室内ファンが配置されている。
【００６７】
〔温調システムの暖房運転〕
上記温調システムでは、暖房運転時、圧縮機１０１から吐出された冷媒は、四路弁１０２の第１，第４ポート１０２ａ，１０２ｄを通過して、一部がプレート式水熱交換器２０１内へ流入し、他の一部がプレート式水熱交換器３０１内へ流入する。すなわち、プレート式水熱交換器２０１，３０１には略同じ温度の冷媒が供給される。そして、プレート式水熱交換器２０１，３０１において水と熱交換されて凝縮した冷媒は、第１，第２の電動膨張弁１０４，１０５により膨張して、室外熱交換器１０３で蒸発して室外の空気から吸熱した後、四路弁１０２の第２，第３ポート１０２ｂ，１０２ｃと、アキュムレータ１０７とを通過して、圧縮機１０１に戻る。このとき、プレート式水熱交換器２０１，３０１を流れる水は、冷媒との熱交換により、温水となって、第１〜第４の床冷暖房パネル４０１〜４０４へ向かって流れる。
【００６８】
このような暖房運転時、例えば、第１の床冷暖房パネル４０１の設定温度が５０℃、第２の床冷暖房パネル４０２の設定温度が４５℃、第３の床冷暖房パネル４０３の設定温度が４０℃、第４の床冷暖房パネル４０４の設定温度が３０℃とする。このとき、開動作制御部１１７ｃは、床冷暖房ユニット用制御装置２１６を介して、第１の熱動弁２０６が常時開くように、かつ、床冷暖房ユニット用制御装置２１６，３１６を介して、第１，第２の熱動弁３０６，２０７，３０７が間欠的に開くように、第１，第２の熱動弁２０６，３０６，２０７，３０７の開動作を制御する。
【００６９】
したがって、上記プレート式水熱交換器２０１，３０１は共に５０℃の温水を吐出するが、設定温度が５０℃でない第２〜第４の床冷暖房パネル４０２〜４０４には５０℃の温水が常時供給されないので、サーモオフの制御が繰り返されるのを防ぐことができる。その結果、上記２次側熱交換端末の温度変動を低減できる。
【００７０】
また、上記第１，第２の床冷暖房ユニット２００，３００において、サーモオフの制御が繰り返されないので、機器効率の低下を防ぐことができる。
【００７１】
仮に、上記第２の熱動弁３０７が常時開いたなら、設定温度が３０℃である第４の床冷暖房パネル４０４に５０℃の温水が常時流れ込んでしまう。こうなると、サーモオフの制御が繰り返されるので、循環ポンプ３０３の発停が増大して、機器効率が低下してしまう。
【００７２】
〔温調システムの冷房運転〕
上記温調システムは、冷房運転時、圧縮機１０１から吐出された冷媒が、四路弁１０２の第１，第２ポート１０２ａ，１０２ｂを通過して、室外熱交換器１０３で室外の空気と熱交換されて凝縮する。この凝縮した冷媒は、第１，第２の電動膨張弁１０４，１０５により膨張して、プレート式水熱交換器２０１，３０１内へ流入する。すなわち、プレート式水熱交換器２０１，３０１には略同じ温度の冷媒が供給される。そして、プレート式水熱交換器２０１，３０１において水から吸熱して蒸発した冷媒は、四路弁１０２の第３，第４ポート１０２ｃ，１０２ｄと、アキュムレータ１０７とを通過して、圧縮機１０１に戻る。このとき、プレート式水熱交換器２０１内を流れる水は、冷媒との熱交換により、冷水となって、第１〜第４の床冷暖房パネル４０１〜４０４へ向かって流れる。
【００７３】
このような冷房運転時、例えば、第１の床冷暖房パネル４０１の設定温度が１０℃、第２の床冷暖房パネル４０２の設定温度が１３℃、第３の床冷暖房パネル４０３の設定温度が１７℃、第４の床冷暖房パネル４０４の設定温度が２０℃とする。このとき、開動作制御部１１７ｃは、床冷暖房ユニット用制御装置２１６を介して、第１の熱動弁２０６が常時開くように、かつ、床冷暖房ユニット用制御装置２１６，３１６を介して、第１，第２の熱動弁３０６，２０７，３０７が間欠的に開くように、第１，第２の熱動弁２０６，３０６，２０７，３０７の開動作を制御する。
【００７４】
したがって、上記プレート式水熱交換器２０１，３０１は共に１０℃の冷水を吐出するが、設定温度が１０℃ではない第２〜第４の床冷暖房パネル４０２〜４０４には１０℃の冷水が常時供給されないので、サーモオフの制御が繰り返されるのを防ぐことができる。その結果、上記第２〜第４の床冷暖房パネル４０２〜４０４の温度変動を低減できる。
【００７５】
また、上記第１，第２の床冷暖房ユニット２００，３００において、サーモオフの制御が繰り返されないので、機器効率の低下を防ぐことができる。
【００７６】
仮に、上記第２の熱動弁３０７が常時開いたなら、設定温度が２０℃である第４の床冷暖房パネル４０４に１０℃の冷水が常時流れ込んでしまう。こうなると、サーモオフの制御が繰り返されるので、循環ポンプ３０３の発停が増大して、機器効率が低下してしまう。
【００７７】
仮に、上記第１,第２の熱動弁３０６，２０７，３０７が常時開いたなら、第２〜第４の床冷暖房パネル４０２〜４０４で結露が生じる可能がある。
【００７８】
上記実施形態では、温調システムは、第１〜第４の床冷暖房パネル４０１〜４０４で暖房および冷房を行えるものであったが、第１〜第４の床冷暖房パネル４０１〜４０４で暖房と冷房の一方のみを行えるものであってもよい。
【００７９】
上記実施形態では、最高設定温度特定部１１７ａ、最低設定温度特定部１１７ｂおよび開動作制御部１１７ｃは、ソフトウェアで構成したが、スイッチ、タイマ、比較器、および増幅器等のハードウェアで構成してもよい。
【００８０】
上記実施形態では、第１，第２の床冷暖房ユニット２００，３００は、プレート式水熱交換器２０１，３０１を水熱交換器の一例として有していたが、例えば二重管式水熱交換器を水熱交換器の一例として有してもよい。
【００８１】
上記実施形態において、圧力センサ２１５，３１５の代わりに、圧力スイッチを設けてもよい。
【００８２】
上記実施形態において、循環ポンプ２０３の吐出量は、循環ポンプ３０３の吐出量と同じにしてもよいし、あるいは、循環ポンプ３０３の吐出量と異なるようにしてもよい。
【００８３】
上記実施形態では、冷媒回路６０１に、第１，第２の電動膨張弁１０４，１０５を設けていたが、膨張機構の一例としての例えばキャピラリチューブを設けてもよい。
【００８４】
上記実施形態において、第１〜第４の床冷暖房パネル４０１〜４０４のうちの少なくとも一つを、天井冷暖房パネル、天井冷房パネル、天井暖房パネル、壁冷暖房パネル、壁冷房パネル、壁暖房パネル、または、室内設置型ラジエタに換えてもよい。
【００８５】
上記実施形態では、第１の床冷暖房ユニット２００に、第１，第２の床冷暖房パネル４０１，４０２を接続していたが、第１，第２の床冷暖房パネル４０１，４０２の一方だけを接続してもよいし、あるいは、第１，第２の床冷暖房パネル４０１，４０２と、他の単数または複数の床冷暖房パネルとを接続してもよい。
【００８６】
上記実施形態では、第２の床冷暖房ユニット３００に、第３，第４の床冷暖房パネル４０３，４０４を接続していたが、第３，第４の床冷暖房パネル４０３，４０４の一方だけを接続してもよいし、あるいは、第３，第４の床冷暖房パネル４０３，４０４と、他の単数または複数の床冷暖房パネルとを接続してもよい。
【００８７】
上記実施形態において、室外機用制御装置１１７と床冷暖房ユニット用制御装置２１６，３１６の間の通信は、有線で行っていたが、無線で行ってもよい。
【００８８】
上記実施形態では、室外機用制御装置１１７が、最高設定温度特定部１１７ａおよび最低設定温度特定部１１７ｂを有していたが、最高設定温度特定部１１７ａと最低設定温度特定部１１７ｂの一方だけを有するようにしてもよい。
【００８９】
上記実施形態では、室外機用制御装置１１７が、最高設定温度特定部１１７ａ、最低設定温度特定部１１７ｂおよび開動作制御部１１７ｃを有していたが、床冷暖房ユニット用制御装置２１６または床冷暖房ユニット用制御装置が、最高設定温度特定部１１７ａ、最低設定温度特定部１１７ｂおよび開動作制御部１１７ｃと同様の最高設定温度特定部、最低設定温度特定部および開動作制御部を有してもよい。
【００９０】
以上、本発明の具体的な実施形態について説明したが、本発明は上記実施形態に限定されるものではなく、本発明の範囲内で種々変更して実施することができる。例えば、上記実施形態と上述の変形例とを適宜組み合わせたものを、本発明の一実施形態としてもよい。
【符号の説明】
【００９１】
１０１  圧縮機
１０２  四路弁
１０３  室外熱交換器
１０４  第１の電動膨張弁
１０５  第２の電動膨張弁
１１７  室外機用制御装置
１１７ａ  最高設定温度特定部
１１７ｂ  最低設定温度特定部
１１７ｃ  開動作制御部
２００  第１の床冷暖房ユニット
２０１，３０１  プレート式水熱交換器
２０３，３０３  循環ポンプ
２０６，３０６  第１の熱動弁
２０７，３０７  第２の熱動弁
２１５，３１５  圧力センサ
３００  第２の床冷暖房ユニット
４０１  第１の床冷暖房パネル
４０２  第２の床冷暖房パネル
４０３  第３の床冷暖房パネル
４０４  第４の床冷暖房パネル
６０１  冷媒回路
【図１】
2014163536.tif 000003